【手続補正書】
【提出日】平成29年8月4日(2017.8.4)
【手続補正１】
【補正対象書類名】特許請求の範囲
【補正対象項目名】全文
【補正方法】変更
【補正の内容】
【特許請求の範囲】
【請求項１】
装置によるワイヤレス通信の方法であって、
プロセッサを介して、送信機会の間に送信するための許可を第１の局に対して認める第１のワイヤレスメッセージを生成することと、
前記プロセッサを介して、前記送信機会の間に送信するための許可を第２の局に対して認める第２のワイヤレスメッセージを生成することと、
送信機を介して、前記第２の局への前記第２のワイヤレスメッセージの送信と少なくとも部分的に同時に、前記第１のワイヤレスメッセージを前記第１の局に送信することと、ここにおいて、前記第１のワイヤレスメッセージの送信と前記第２のワイヤレスメッセージの送信とが同時に開始され、
受信機を介して、前記送信機会の間に、前記第２の局からの第２のデータメッセージと少なくとも部分的に同時に、前記第１の局から第１のデータメッセージを受信すること、
を備え、
前記第１のワイヤレスメッセージは第１の空間ストリームで送信され、前記第２のワイヤレスメッセージは第２の空間ストリームで送信されるか、または前記第１のワイヤレスメッセージは第１の周波数で送信され、前記第２のワイヤレスメッセージは第２の周波数で送信される、方法。
【請求項２】
前記送信機会の開始時間と持続時間とを示すために、前記第１のワイヤレスメッセージと前記第２のワイヤレスメッセージとを生成することをさらに備える、請求項１に記載の方法。
【請求項３】
前記第１のワイヤレスメッセージは、前記送信機会の間の送信に前記第１の局が使用すべき第１の空間ストリームを示すインジケータを備え、前記第２のワイヤレスメッセージは、前記送信機会の間の送信に前記第２の局が使用すべき第２の空間ストリームを示すインジケータを備える、請求項１に記載の方法。
【請求項４】
前記第１のワイヤレスメッセージは、前記送信機会の間の送信に前記第１の局が使用すべき第１の周波数を示すインジケータを備え、前記第２のワイヤレスメッセージは、前記送信機会の間の送信に前記第２の局が使用すべき第２の周波数を示すインジケータを備える、請求項１に記載の方法。
【請求項５】
前記送信機会の間に送信するための許可を第３の局に対して認めるために前記第１のワイヤレスメッセージをさらに生成することと、
前記第２の局への前記第２のワイヤレスメッセージの前記送信と少なくとも部分的に同時に前記第１のワイヤレスメッセージを前記第３の局に送信することと、
をさらに備える、請求項１に記載の方法。
【請求項６】
第３のワイヤレスメッセージの受信から所定の経過時間後に送信を開始するように前記第１の局に指示する前記第３のワイヤレスメッセージを生成することと、
第４のワイヤレスメッセージから所定の経過時間後に送信を開始するように前記第２の局に指示する前記第４のワイヤレスメッセージを生成することと、
前記第２の局へ前記第４のワイヤレスメッセージを送信することと少なくとも部分的に同時に、前記第３のワイヤレスメッセージを前記第１の局に送信することと、
をさらに備える、請求項１に記載の方法。
【請求項７】
前記第１のワイヤレスデバイスが送信を開始すべき前記送信機会内の第１の時間を示すために前記第１のワイヤレスメッセージを生成することと、
前記第２のワイヤレスデバイスが送信を開始すべき前記送信機会内の第２の時間を示すために前記第２のワイヤレスメッセージを生成することと、
をさらに備え、前記第１の時間および前記第２の時間は異なる、請求項１に記載の方法。
【請求項８】
１つの集約された媒体プロトコルデータユニット（Ａ−ＭＰＤＵ）として前記第１のメッセージを生成することをさらに備える、請求項１に記載の方法。
【請求項９】
データ、制御、または管理メッセージを備えるように前記第１のメッセージを生成することをさらに備える、請求項１に記載の方法。
【請求項１０】
送信機会の間に送信するための許可を第３の局に対して認めるために前記第１のワイヤレスメッセージを生成することをさらに備え、前記第１のワイヤレスメッセージの前記送信は前記第３の局に対するものでもある、請求項１に記載の方法。
【請求項１１】
ワイヤレス通信のための装置であって、
送信機会の間に送信するための許可を第１の局に対して認める第１のワイヤレスメッセージを生成し、前記送信機会の間に送信するための許可を第２の局に対して認める第２のワイヤレスメッセージを生成するように構成されるプロセッサと、
前記第２の局への前記第２のワイヤレスメッセージの送信と少なくとも部分的に同時に、前記第１のワイヤレスメッセージを前記第１の局に送信するように構成される送信機と、前記送信機はさらに、前記第１のワイヤレスメッセージの送信と前記第２のワイヤレスメッセージの送信とを同時に開始するように構成され、
前記送信機会の間に、前記第２の局からの第２のデータメッセージと少なくとも部分的に同時に、前記第１の局から第１のデータメッセージを受信するように構成される受信機と、
を備え、
前記送信機は第１の空間ストリームで前記第１のワイヤレスメッセージを送信し、第２の空間ストリームで前記第２のワイヤレスメッセージを送信するように構成されるか、または前記送信機は第１の周波数で前記第１のワイヤレスメッセージを送信し、第２の周波数で前記第２のワイヤレスメッセージを送信するように構成される、装置。
【請求項１２】
前記第１のワイヤレスメッセージは、前記送信機会の間の送信に前記第１の局が使用すべき第１の空間ストリームを示すインジケータを備え、前記第２のワイヤレスメッセージは、前記送信機会の間の送信に前記第２の局が使用すべき第２の空間ストリームを示すインジケータを備える、請求項１１に記載の装置。
【請求項１３】
前記第１のワイヤレスメッセージは、前記送信機会の間の送信に前記第１の局が使用すべき第１の周波数を示すインジケータを備え、前記第２のワイヤレスメッセージは、前記送信機会の間の送信に前記第２の局が使用すべき第２の空間ストリームを示すインジケータを備える、請求項１１に記載の装置。
【請求項１４】
前記プロセッサはさらに、前記送信機会の開始時間と持続時間とを示すように、前記第１のワイヤレスメッセージと前記第２のワイヤレスメッセージとを生成するように構成される、請求項１１に記載の装置。
【請求項１５】
前記プロセッサはさらに、前記送信機会の間に送信するための許可を第３の局に対して認めるために前記第１のワイヤレスメッセージを生成し、前記第２の局への前記第２のワイヤレスメッセージの前記送信と少なくとも部分的に同時に前記第１のワイヤレスメッセージを前記第３の局に送信するように構成される、請求項１１に記載の装置。
【請求項１６】
前記プロセッサはさらに、第３のワイヤレスメッセージの受信から所定の経過時間後に送信を開始するように前記第１の局に指示する前記第３のワイヤレスメッセージを生成し、第４のワイヤレスメッセージから所定の経過時間後に送信を開始するように前記第２の局に指示する前記第４のワイヤレスメッセージを生成するように構成され、
前記送信機はさらに、前記第２の局への前記第４のワイヤレスメッセージを送信するのと少なくとも部分的に同時に前記第３のワイヤレスメッセージを前記第１の局に送信するように構成される、請求項１１に記載の装置。
【請求項１７】
前記プロセッサはさらに、前記第１のワイヤレスデバイスが送信を開始すべきである前記送信機会内の第１の時間を示すように前記第１のワイヤレスメッセージを生成し、前記第２のワイヤレスデバイスが送信を開始すべきである前記送信機会内の第２の時間を示すように前記第２のワイヤレスメッセージを生成するように構成され、前記第１の時間および前記第２の時間は異なる、請求項１１に記載の装置。
【請求項１８】
前記プロセッサはさらに、１つの集約された媒体プロトコルデータユニット（Ａ−ＭＰＤＵ）として前記第１のメッセージを生成するように構成される、請求項１１に記載の装置。
【請求項１９】
前記プロセッサはさらに、データ、制御、または管理メッセージを備えるように前記第１のメッセージを生成するように構成される、請求項１１に記載の装置。
【請求項２０】
前記プロセッサはさらに、送信機会の間に送信するための許可を第３の局に対して認めるために前記第１のワイヤレスメッセージを生成するように構成され、前記第１のワイヤレスメッセージの前記送信は前記第３の局に対するものでもある、請求項１１に記載の装置。
【請求項２１】
ワイヤレス通信の方法であって、
第１のデバイスを介して、送信機会の間にメッセージを送信するための許可を第１のデバイスに対して認める第１のワイヤレスメッセージを受信すること、前記第１のワイヤレスメッセージは、第２のデバイスに宛てられる第２のワイヤレスメッセージの少なくとも一部分の送信と少なくとも部分的に同時に前記第１のデバイスへ送信される、と、
前記第１のデバイスを介して、第３のデバイスへの第４のデバイスによる第４のメッセージの送信と少なくとも部分的に同時に、前記送信機会の間に第３のメッセージを前記第３のデバイスへ送信すること、
を備え、
前記第１のワイヤレスメッセージは第１の空間ストリームで受信され、前記第２のワイヤレスメッセージは第２の空間ストリームで送信されるか、または前記第１のワイヤレスメッセージは第１の周波数で受信され、前記第２のワイヤレスメッセージは第２の周波数で送信される、方法。
【請求項２２】
前記第１のデバイスを介して第５のメッセージを受信することと、
前記送信機会の間に特定の時間において前記第１のデバイスが送信を開始すべきであるかどうかを決定するために前記第５のメッセージを復号することと、
をさらに備え、前記第３のメッセージの前記送信は前記第５のメッセージに基づく前記特定の時間において開始される、請求項２１に記載の方法。
【請求項２３】
ワイヤレス通信のための装置であって、
送信機会の間にメッセージを送信するための許可を第１のデバイスに対して認める第１のメッセージを受信するように構成される受信機と、前記第１のメッセージは、第２のデバイスに宛てられる第２のメッセージの少なくとも一部分の送信と少なくとも部分的に同時に前記第１のデバイスへ送信され、
前記第１のデバイスを介して、第３のデバイスへの第４のデバイスによる第４のメッセージの送信と少なくとも部分的に同時に、前記送信機会の間に第３のメッセージを前記第３のデバイスへ送信するように構成される送信機と、
を備え、
前記受信機は、前記第２のワイヤレスメッセージの前記送信が第２の空間ストリーム上にある間に、第１の空間ストリームで前記第１のワイヤレスメッセージを受信するように構成されるか、または前記受信機は、前記第２のワイヤレスメッセージが第２の周波数で送信される間に、第１の周波数で前記第１のワイヤレスメッセージを送信するように構成される、装置。
【請求項２４】
前記受信機はさらに、第５のメッセージを受信するように構成され、
前記プロセッサはさらに、前記送信機会の間に特定の時間において前記第１のデバイスが送信を開始すべきであるかどうかを決定するために前記第５のメッセージを復号するように構成され、
前記送信機はさらに、前記第５のメッセージに基づく前記特定の時間において前記第３のメッセージの前記送信を開始するように構成される、請求項２３に記載の装置。
【手続補正２】
【補正対象書類名】明細書
【補正対象項目名】０１０３
【補正方法】変更
【補正の内容】
【０１０３】
[0116]上記は、本開示の態様を対象とするが、本開示の基本的な範囲を逸脱することなく、本開示の他の態様およびさらなる態様が考案されてよく、本開示の範囲は以下の特許請求の範囲によって決定される。
以下に、本願の出願当初の特許請求の範囲に記載された発明を付記する。
［Ｃ１］
ワイヤレス通信の方法であって、
送信機会の間に送信するための許可を第１の局に対して認める第１のワイヤレスメッセージを生成することと、
前記送信機会の間に送信するための許可を第２の局に対して認める第２のワイヤレスメッセージを生成することと、
前記第２の局への前記第２のワイヤレスメッセージの送信と少なくとも部分的に同時に、前記第１のワイヤレスメッセージを前記第１の局に送信することと、
を備える方法。
［Ｃ２］
第１の空間ストリームで前記第１のワイヤレスメッセージを送信することと、
第２の空間ストリームで前記第２のワイヤレスメッセージを送信することと、
をさらに備える、Ｃ１に記載の方法。
［Ｃ３］
第１の周波数で前記第１のワイヤレスメッセージを送信することと、
第２の周波数で前記第２のワイヤレスメッセージを送信することと、
をさらに備える、Ｃ１に記載の方法。
［Ｃ４］
前記第１のワイヤレスメッセージの送信と前記第２のワイヤレスメッセージの送信とを同時に開始することをさらに備える、Ｃ１に記載の方法。
［Ｃ５］
前記送信機会の開始時間と持続時間とを示すために、前記第１のワイヤレスメッセージと前記第２のワイヤレスメッセージとを生成することをさらに備える、Ｃ１に記載の方法。
［Ｃ６］
前記送信機会の間の送信に前記第１の局および前記第２の局がそれぞれ使用すべき第１の空間ストリームおよび第２の空間ストリームを示すインジケータをそれぞれが備えるように前記第１のワイヤレスメッセージと前記第２のワイヤレスメッセージとを生成することをさらに備える、Ｃ１に記載の方法。
［Ｃ７］
前記送信機会の間の送信に前記第１の局および前記第２の局がそれぞれ使用すべき第１の周波数および第２の周波数を示すインジケータをそれぞれが備えるように前記第１のワイヤレスメッセージと前記第２のワイヤレスメッセージとを生成することをさらに備える、Ｃ１に記載の方法。
［Ｃ８］
前記送信機会の間に送信するための許可を第３の局に対して認めるために前記第１のワイヤレスメッセージをさらに生成することと、
前記第２の局への前記第２のワイヤレスメッセージの前記送信と少なくとも部分的に同時に前記第１のワイヤレスメッセージを前記第３の局に送信することと、
をさらに備える、Ｃ１に記載の方法。
［Ｃ９］
前記第３のワイヤレスメッセージの受信から所定の経過時間後に送信を開始するように前記第１の局に指示する第３のワイヤレスメッセージを生成することと、
前記第４のワイヤレスメッセージから所定の経過時間後に送信を開始するように前記第２の局に指示する第４のワイヤレスメッセージを生成することと、
前記第２の局へ前記第４のワイヤレスメッセージを送信することと少なくとも部分的に同時に、前記第３のワイヤレスメッセージを前記第１の局に送信することと、
をさらに備える、Ｃ１に記載の方法。
［Ｃ１０］
前記第１のワイヤレスデバイスが送信を開始すべき前記送信機会内の第１の時間を示すために前記第１のワイヤレスメッセージを生成することと、
前記第２のワイヤレスデバイスが送信を開始すべき前記送信機会内の第２の時間を示すために前記第２のワイヤレスメッセージを生成することと、
をさらに備え、前記第１の時間および前記第２の時間は異なる、Ｃ１に記載の方法。
［Ｃ１１］
１つの集約された媒体プロトコルデータユニット（Ａ−ＭＰＤＵ）として前記第１のメッセージを生成することをさらに備える、Ｃ１に記載の方法。
［Ｃ１２］
データ、制御、または管理メッセージを備えるように前記第１のメッセージを生成することをさらに備える、Ｃ１に記載の方法。
［Ｃ１３］
送信機会の間に送信するための許可を第３の局に対して認めるために前記第１のワイヤレスメッセージを生成することをさらに備え、前記第１のワイヤレスメッセージの前記送信は前記第３の局に対するものでもある、Ｃ１に記載の方法。
［Ｃ１４］
ワイヤレス通信のための装置であって、
送信機会の間に送信するための許可を第１の局に対して認める第１のワイヤレスメッセージを生成し、前記送信機会の間に送信するための許可を第２の局に対して認める第２のワイヤレスメッセージを生成するように構成されるプロセッサと、
前記第２の局への前記第２のワイヤレスメッセージの送信と少なくとも部分的に同時に、前記第１のワイヤレスメッセージを前記第１の局に送信するように構成される送信機と、
を備える装置。
［Ｃ１５］
前記送信機はさらに、第１の空間ストリームで前記第１のワイヤレスメッセージを送信し、第２の空間ストリームで前記第２のワイヤレスメッセージを送信するように構成される、Ｃ１４に記載の装置。
［Ｃ１６］
前記送信機はさらに、第１の周波数で前記第１のワイヤレスメッセージを送信し、第２の周波数で前記第２のワイヤレスメッセージを送信することように構成される、Ｃ１４に記載の装置。
［Ｃ１７］
前記プロセッサはさらに、前記送信機会の間の送信に前記第１の局および前記第２の局がそれぞれ使用すべき第１の空間ストリームおよび第２の空間ストリームを示すインジケータをそれぞれが備えるように前記第１のワイヤレスメッセージと前記第２のワイヤレスメッセージとを生成するように構成される、Ｃ１４に記載の装置。
［Ｃ１８］
前記プロセッサはさらに、前記送信機会の間の送信に前記第１の局および前記第２の局がそれぞれ使用すべき第１の周波数および第２の周波数を示すインジケータをそれぞれが備えるように前記第１のワイヤレスメッセージと前記第２のワイヤレスメッセージとを生成するように構成される、Ｃ１４に記載の装置。
［Ｃ１９］
前記送信機はさらに、前記第１のワイヤレスメッセージの送信と前記第２のワイヤレスメッセージの送信とを同時に開始するように構成される、Ｃ１４に記載の装置。
［Ｃ２０］
前記プロセッサはさらに、前記送信機会の開始時間と持続時間とを示すように、前記第１のワイヤレスメッセージと前記第２のワイヤレスメッセージとを生成するように構成される、Ｃ１４に記載の装置。
［Ｃ２１］
前記プロセッサはさらに、前記送信機会の間に送信するための許可を第３の局に対して認めるために前記第１のワイヤレスメッセージを生成し、前記第２の局への前記第２のワイヤレスメッセージの前記送信と少なくとも部分的に同時に前記第１のワイヤレスメッセージを前記第３の局に送信するように構成される、Ｃ１４に記載の装置。
［Ｃ２２］
前記プロセッサはさらに、前記第３のワイヤレスメッセージの受信から所定の経過時間後に送信を開始するように前記第１の局に指示する第３のワイヤレスメッセージを生成し、前記第４のワイヤレスメッセージから所定の経過時間後に送信を開始するように前記第２の局に指示する第４のワイヤレスメッセージを生成するように構成され、
前記送信機はさらに、前記第２の局への前記第４のワイヤレスメッセージを送信するのと少なくとも部分的に同時に前記第３のワイヤレスメッセージを前記第１の局に送信するように構成される、Ｃ１４に記載の装置。
［Ｃ２３］
前記プロセッサはさらに、前記第１のワイヤレスデバイスが送信を開始すべきである前記送信機会内の第１の時間を示すように前記第１のワイヤレスメッセージを生成し、前記第２のワイヤレスデバイスが送信を開始すべきである前記送信機会内の第２の時間を示すように前記第２のワイヤレスメッセージを生成するように構成され、前記第１の時間および前記第２の時間は異なる、Ｃ１４に記載の装置。
［Ｃ２４］
前記プロセッサはさらに、１つの集約された媒体プロトコルデータユニット（Ａ−ＭＰＤＵ）として前記第１のメッセージを生成するように構成される、Ｃ１４に記載の装置。
［Ｃ２５］
前記プロセッサはさらに、データ、制御、または管理メッセージを備えるように前記第１のメッセージを生成するように構成される、Ｃ１４に記載の装置。
［Ｃ２６］
前記プロセッサはさらに、送信機会の間に送信するための許可を第３の局に対して認めるために前記第１のワイヤレスメッセージを生成するように構成され、前記第１のワイヤレスメッセージの前記送信は前記第３の局に対するものでもある、Ｃ１４に記載の装置。
［Ｃ２７］
ワイヤレス通信の方法であって、
第１のデバイスを介して、第２のデバイスに宛てられる第２のメッセージの少なくとも一部分の送信と少なくとも部分的に同時に、送信機会の間にメッセージを送信するための許可を前記第１のデバイスに対して認める第１のメッセージを受信することと、
前記第１のデバイスを介して、第３のデバイスへの第４のデバイスによる送信と少なくとも部分的に同時に、前記送信機会の間に第２のメッセージを前記第３のデバイスへ送信することと、
を備える方法。
［Ｃ２８］
前記第１のデバイスを介して第３のメッセージを受信することと、
前記送信機会の間に特定の時間において前記第１のデバイスが送信を開始すべきであることを決定するために前記第３のメッセージを復号することと、
をさらに備え、前記第２のメッセージの前記送信は前記第３のメッセージに基づく前記特定の時間において開始される、Ｃ２７に記載の方法。
［Ｃ２９］
ワイヤレス通信のための装置であって、
第２のデバイスに宛てられる第２のメッセージの少なくとも一部分の送信と少なくとも部分的に同時に、送信機会の間にメッセージを送信するための許可を前記第１のデバイスに対して認める第１のメッセージを受信するように構成される受信機と、
前記第１のデバイスを介して、第３のデバイスへの第４のデバイスによる送信と少なくとも部分的に同時に、前記送信機会の間に第２のメッセージを前記第３のデバイスへ送信するように構成される送信機と、
を備える装置。
［Ｃ３０］
前記受信機はさらに、第３のメッセージを受信するように構成され、
前記プロセッサはさらに、前記送信機会の間に特定の時間において前記第１のデバイスが送信を開始すべきであることを決定するために前記第３のメッセージを復号するように構成され、
前記送信機はさらに、前記第３のメッセージに基づく前記特定の時間において前記第２のメッセージの前記送信を開始するように構成される、Ｃ２９に記載の装置。